(57)【要約】【課題】注出口から外した栓を簡単な操作で邪魔にならない位置に移動できるようにしたカップ状容器を提供することにある。【解決手段】容器体の胴部上端を広口の開口端として、この開口端をキャップ状部材で閉塞するとともに、このキャップ状部材のキャップ頂壁の前部に注出口を穿設し、先部の下面に注出口閉鎖用の栓を有する可撓性バンドの基部をキャップ頂壁の後部に連結したカップ状容器であって、上記可撓性バンド３０を、その少なくとも先半部が上方へ反った状態と、倒伏した状態との間で起伏自在に設け、可撓性バンドの倒伏状態で上記栓３４が注出口１６内へ嵌合するとともに可撓性バンドが上方へ反った状態で栓３４が注出口１６から離れることが可能に形成し、さらに可撓性バンドが反った姿勢を保持する手段４０をキャップ頂壁１４又は可撓性バンド３０のいずれか一方に講じた。【選択図】図２
2009161205.tif 000002
【特許請求の範囲】
【請求項１】
容器体の胴部上端を広口の開口端として、この開口端をキャップ状部材で閉塞するとともに、このキャップ状部材のキャップ頂壁の前部に注出口を穿設し、先部の下面に注出口閉鎖用の栓を有する可撓性バンドの基部をキャップ頂壁の後部に連結したカップ状容器であって、
上記可撓性バンド３０を、その少なくとも先半部３０ａが上方へ反った状態と、倒伏した状態との間で起伏自在に設け、
可撓性バンドの倒伏状態で上記栓３４が注出口１６内へ嵌合するとともに可撓性バンドが上方へ反った状態で栓３４が注出口１６から離れることが可能に形成し、
さらに可撓性バンドが反った姿勢を保持する手段４０をキャップ頂壁１４又は可撓性バンド３０のいずれか一方に講じたことを特徴とする、カップ状容器。
【請求項２】
上記可撓性バンド３０は基端部をキャップ頂壁１４に枢着することで枢着箇所を通る垂直軸の周りを回動するとともに、
上記キャップ頂壁１４の周縁のうち少なくとも後部から、上記姿勢保持手段である支持壁４０ａを起立し、この支持壁にもたれる様にして可撓性バンドが反った姿勢を保つようにしたことを特徴とする、請求項１記載のカップ状容器。
【請求項３】
上記支持壁４０ａを、キャップ頂壁の周縁全体から起立する短周壁とするとともに、上記キャップ頂壁１４の後半部１４ｂを、上後方への傾斜壁としたことを特徴とする、請求項２記載のカップ状容器。
【請求項４】
上記可撓性バンド３０は、先半部３０ａと基半部３０ｂとの間に屈曲部３９を形成するとともに、この屈曲部付近の先半部分後端から、上記姿勢保持手段である支持爪４０ｂを後方へ突出し、上記先半部３０ａが撓み応力に抗して上後方へ反ったときに、上記支持爪４０ｂが下前方へ反転してキャップ頂壁１４の上面に係止するようにしたことを特徴とする、請求項１記載のカップ状容器。
【請求項５】
上記注出口１６の口縁から垂設した垂下筒１８の上半部に栓３４を密嵌させるとともに、その垂下筒の下半部内面の後壁部分に空気置換パイプ２２を縦設したことを特徴とする、請求項１から請求項４のいずれかに記載のカップ状容器。
【請求項６】
上記容器体２を二重容器としたことを特徴とする、請求項１から請求項５の何れかに記載のカップ状容器。
【発明の詳細な説明】
【技術分野】
【０００１】
本発明は、カップ状容器、特に飲料物を収納するためのカップ状容器に関する。
【背景技術】
【０００２】
この種容器として、胴部上端の広口の開口部に口部材を嵌合し、この口部材の頂壁の一部に注出口を穿設するとともに、この注出口への嵌合用の栓体を含む帯バンドを頂壁の適所に回転自在に支承したもの（特許文献１）、及び栓体付きの帯バンドを口部材の一部から延出したもの（特許文献２）が知られている。いずれの容器でも注出口から栓体を外したときに帯バンドがぶらぶらしないように、栓体仮止め用の凹部を頂壁の適所に凹設している。
【特許文献１】特開２００７−０３０９８４号
【特許文献２】特開２００６−１６０３６６号
【発明の開示】
【発明が解決しようとする課題】
【０００３】
特許文献１及び特許文献２の容器によれば、栓を注出口から外した後に仮止め用凹部内に嵌めるようにしているが、これでは凹部の位置を目で確認し、嵌め込む作業が必要であって面倒である。また仮止め用凹部内に埃が付着したりすることもある。
【０００４】
また注出口に口をぴったりつけて内容物を飲むと、容器体の内容物が負圧化して上手く吸飲することができないため、キャップ状部材の適所に空気置換孔を開口することが望ましいが、注出置換孔を開口すると通常時にこの孔をどうやってシールするかが問題となる。
【０００５】
本発明の第１の目的は、注出口から外した栓を簡単な操作で邪魔にならない位置に移動できるようにしたカップ状容器を提供することにある。
【０００６】
本発明の第２の目的は、カップ状容器において空気置換孔を簡易な構成で組み込むことである。
【課題を解決するための手段】
【０００７】
第１の手段は、
容器体の胴部上端を広口の開口端として、この開口端をキャップ状部材で閉塞するとともに、このキャップ状部材のキャップ頂壁の前部に注出口を穿設し、先部の下面に注出口閉鎖用の栓を有する可撓性バンドの基部をキャップ頂壁の後部に連結したカップ状容器であって、
上記可撓性バンド３０を、その少なくとも先半部３０ａが上方へ反った状態と、倒伏した状態との間で起伏自在に設け、
可撓性バンドの倒伏状態で上記栓３４が注出口１６内へ嵌合し、かつ可撓性バンドが上方へ反った状態で栓３４が注出口１６から離れることが可能に形成し、
さらに可撓性バンドが反った姿勢を保持する手段４０をキャップ頂壁１４又は可撓性バンド３０のいずれか一方に講じている。
【０００８】
本手段では、栓付きの可撓性バンドを上方へ反らせるとともに、反らした姿勢を保持することで栓が注出口から離脱した状態を維持できるようにしている。そうすることで、注出口からの内容物の注出や吸飲の際に栓が邪魔にならないようにしている。
【０００９】
「可撓性バンド」は、少なくとも撓むことで上に反らすことができるものであればよい。「反った状態」には、例えば図１１の如く浅く弓状に弯曲した状態や図６の如く大きく反り返った状態、図９の如く“くの字”状に折れ曲がった状態などが含まれる。また何度も栓で注出口を開閉するときには可撓性バンドは弾性変形可能なものであることが望ましいが、必ずしも弾性は必須ではない。可撓性バンドの全体が反るようにしてもよく、基半部に対して先半部のみが反ってもよい。尚、本明細書において「半部」というのは、一つの部材を二分したときの一方という意味であり、大きさや面積が半分という意味ではない。好適な図示例では、可撓性バンドを帯板状に形成しているが、棒状その他適宜形状とすることができる。
【００１０】
可撓性バンドのタイプとして少なくとも回転式と反転式とがある。前者は回転することで栓を注出口から離脱させるもの、後者は反転することで栓を注出口から離脱させるものという意味である。離脱の段階にはおおよそ３段階ある。第１の段階は、回転式の可撓性バンドの栓が注出口から外れてキャップ頂壁の上に乗り上げている段階である（図１０、図１１参照）。注出口からコップ内へ内容液を注ぐ場合にはこれで十分である。第２の段階は回転式の可撓性バンドが後述のキャップ頂壁の短周壁の上に乗り上げている段階である(図４の実線位置参照)。注出口と栓との間に距離をとることができるので、注出口に口を付けて飲む場合に適している。第３の段階は、回転式の可撓性バンドを上記短周壁の後部にもたれかけさせ、或いは反転式の可撓性バンドを反転させることで栓を短周壁を含むキャップ頂壁から完全に離間させる段階である（図６、図９及び図１０参照）。液体で濡れた栓が頂壁に触れないので、きれいに使用できる。
【００１１】
「可撓性バンドが反った姿勢を保持する手段」は、可撓性バンドが倒伏しないように支える手段であって、いわば突っ支え棒の如く機能するものである。もっとも可撓性バンドに倒伏していた場所に支持手段を設けることはできないので、回転により可撓性バンドが倒伏しようとする向きを変えたり、可撓性バンド自体に支え手段を組み込むようにしている。本明細書では、姿勢保持手段の具体例として、キャップ頂壁側に設ける支持壁、可撓性バンド側に設ける支持爪又は支持筒を挙げているが、可撓性バンドの反った姿勢を維持できるものであれば、なんでもよい。これらに関しては後述する。
【００１２】
第２の手段は、第１の手段を有し、かつ
上記可撓性バンド３０は基端部をキャップ頂壁１４に枢着することで枢着箇所を通る垂直軸の周りを回動するとともに、上記キャップ頂壁１４の周縁のうち少なくとも後部から、上記姿勢保持手段である支持壁４０ａを起立し、この支持壁にもたれる様にして可撓性バンドが反った姿勢を保つようにしている。
【００１３】
本手段では、可撓性バンドを垂線周りに回転させることで、可撓性バンドの倒伏方向を支持壁側に向けることを提案している。「支持壁」は、キャップ頂壁部の周縁後部からのみ起立してもよい。支持壁の内面に対する可撓性バンドの基半部の離脱・摺動を円滑にするため、支持壁を平面視円弧状にしてもよい。
【００１４】
第３の手段は、第２の手段を有し、かつ
上記支持壁４０ａを、キャップ頂壁の周縁全体から起立する短周壁とするとともに、上記キャップ頂壁１４の後半部１４ｂを、上後方への傾斜壁としている。
【００１５】
本手段の前半部では、上記支持壁として、キャップ頂壁の周縁全体から、可撓性バンド支持用の短周壁を起立しており、短周壁伝いに可撓性バンドを回動させることができるようにしており、また本手段では、図２の如く傾斜壁部と支持壁の後端部との間に角度を大きく（図示例では鈍角に）している。こうすることで図６に示す如く可撓性バンドの基半部を支持壁の後端部に圧接させたときに可撓性バンドの撓み具合が小さくなり、従って可撓性バンドを回動する力が小さくてすむ。本手段の前半部及び後半部の何れも可撓性バンドの回動を容易にするための工夫である。
【００１６】
「短周壁」は、図４に実線又は想像線で示す如く可撓性バンドが短周壁の上に乗り上げることで、或いは図５及び図６の如く可撓性バンドの基半部が短周壁の内面にもたれるように当接することで反り姿勢を保持するものである。短周壁の「短」とは、可撓性バンドが短周壁の上に乗り上げることができる程度に、或いは栓が短周壁に触れない程度に可撓性バンドが短周壁にもたれかけることが可能であれば足りるものとする。可撓性バンドが図４に想像線で示す位置と図６に示す位置との間にあるときには、栓が短周壁に触れないように空中に保持することができ、従って栓の表面の液体が頂壁に付着して汚れるなどの不都合を回避できる利点がある。図４に想像線で示す位置と図６に示す位置との間で可撓性バンドと接する短周壁部分を、本明細書では、支持壁（短周壁）の後部というものとする。
【００１７】
第４の手段は、第１の手段を有し、かつ
上記可撓性バンド３０は、先半部３０ａと基半部３０ｂとの間に屈曲部３９を形成するとともに、この屈曲部付近の先半部分後端から、上記姿勢保持手段である支持爪４０ｂを後方へ突出し、上記先半部３０ａが撓み応力に抗して上後方へ反ったときに、上記支持爪４０ｂが下前方へ反転してキャップ頂壁１４の上面に係止するようにしている。
【００１８】
本手段では、可撓性バンド３０の一部から突出する支持爪４０ｂがキャップ頂壁１４の上面で反転し、係止するようにしている。
【００１９】
第５の手段は、第１の手段から第４の手段の何れかを有し、かつ
上記注出口１６の口縁から垂設した垂下筒１８の上半部に栓３４を密嵌させるとともに、その垂下筒の下半部内面の後壁部分に空気置換パイプ２２を縦設している。
【００２０】
例えば飲料入りの缶に孔を開けるときには、缶頂壁の前部に注出口を、また頂壁の後部に空気置換孔を空けることが一般的である。注出口と空気置換孔との間に距離をとることで注出口から液体を注出しているときに、空気置換孔から吸気することを確実にすることができるからである。しかしながら、注出口と空気置換孔とを別に設けるとこの孔をシールする手段を設けなければならない。出願人は、キャップ状頂壁の前部に穿設した注出口の口縁からの垂下筒内方から空気置換パイプを縦設し、一つの栓でシールできるものを提案している。
【００２１】
「空気置換パイプ」は、注出口縁からの垂下筒の内面後側から垂下しており、図７の如く容器を軽く傾けた状態で上側となる垂下筒内の後端部（空気置換パイプの設置部分）を空気流入路とし、傾斜状態で下側となる、後端部を除く垂下筒内部分を液体注出路としている。空気置換パイプは垂下筒の内部を、空気流入路と液体流出路とに区画する機能を有する。空気置換パイプを省略すると、液体の流出量が過剰になった瞬間に空気の流入がストップするので、流出量が時間的に変動する不安定な流れとなる。空気置換パイプは液体が侵入しないように十分細く設けることが望ましい。空気置換パイプは垂下筒よりさらに下方に垂下することができる。
【００２２】
第６の手段は、第１の手段から第５の手段の何れかを有し、かつ上記容器体２を二重容器としている。
【発明の効果】
【００２３】
第１の手段に係る発明によれば、次の効果を奏する。
○可撓性バンド３０は、脱栓時に先半部３０ａが反った姿勢を保持するように形成したから、液体を注出するときに可撓性バンドが邪魔になることがない。
○脱栓時に栓を仮止めするための凹部をキャップ状部材に設ける必要がないから、その凹部に埃が付着する面倒がない。
【００２４】
第２の手段に係る発明によれば、可撓性バンド３０の先半部３０ａが支持壁４０ａにもたれることで反った姿勢を保持するようにしたから、姿勢の保持を確実にすることができる。
【００２５】
第３の手段に係る発明によれば、次の効果を奏する。
○キャップ頂壁１４の周縁全周から起立した短周壁を支持壁４０ａとしたから、可撓性バンド３０を前方から後方側へ回動させてゆくにつれて短周壁への可撓性バンド３０のもたれ具合が徐々に大きくなり、スムーズに可撓性バンドを回動することができる。
○キャップ頂壁１４の後半部を上後方への傾斜壁としたから、この傾斜壁と支持壁との角度が大きくなり、さらに可撓性バンド３０を後方側へ回動し易くなる。
【００２６】
第４の手段に係る発明によれば、姿勢保持手段を、可撓性バンド３０の一部から突出する支持爪４０ｂとしており、キャップ頂壁１４に姿勢保持の仕組みを設ける必要がないから、キャップ状部材の設計の自由度が大きい。
【００２７】
第５の手段に係る発明によれば、注出口の内部に空気置換パイプを縦設したから、この空気置換パイプを別途にシールする構造を設ける必要がなく、簡易な構成とすることができる。
【００２８】
第６の手段に係る発明によれば、保温性を高めることができる。
【発明を実施するための最良の形態】
【００２９】
図１から図７は、本発明の第１の実施形態に係るカップ状容器を示している。このカップ状容器は、容器体２と、キャップ状部材１０と、可撓性バンド３０とからなる。これら各部材は合成樹脂で形成することができる。
【００３０】
容器体２は、円筒形の胴部の上方に広口の口頸部４を有している。図示の容器体２は、図２の如く外容器体６と内容器体８とからなり、外容器体６と内容器体８との間には空気層を介在させて、熱いものを収納させたときに外容器体に熱が伝達しにくいようにしている。上記内容器体８の上部を、胴部に対して拡径した大外径の口頸部４とし、この口頸部４の下面に外容器体６の上端部を当接している。
【００３１】
キャップ状部材１０は、口頸部４内面に液密に螺合させた装着筒１２と、この装着筒の上面を閉塞するキャップ頂壁１４とを有する。図２のように装着筒１２の後半部は後方に行くほど高くして、キャップ頂壁１４の後半部１４ｂを、後上方への傾斜壁にしている。キャップ頂壁の前半部１４ａには、直径がキャップ頂壁の半分弱程度の大きさの注出口１６を開口している。この注出口の口縁から垂下筒１８を垂設するとともに、この垂下筒の後部から下方へ補助壁２０を延長し、垂下筒１８の下半部後壁前面から補助壁２０前面に亘って空気置換パイプ２２を縦設している。この空気置換パイプ２２は、パイプ内への収納液の浸入を抑制できる程度に小内径とすることが望ましい。また図示例では、図３の如く装着筒１２及び垂下筒１８の各前壁を連続させている。キャップ頂壁の後端部付近には枢着孔２４を穿設している。またキャップ頂壁１４の周縁からは、後述の可撓性バンドの姿勢保持手段４０として、短周壁状の支持壁４０ａを起立している。図示例では、その短周壁を平面視円弧形としている。もっとも図示例と異なり、短周壁のうち後部を除く周壁部分を省略して、平面視円弧形の支持壁をキャップ頂壁から起立させてもよい。
【００３２】
可撓性バンド３０は、エラストマーなどの軟材質で形成する帯板状の部材であって、図６の如く基端側に開けた軸孔をキャップ頂壁の枢着孔２４に重ねて枢着軸３２を遊嵌し、この枢着軸を中心にする回動自在に、かつ枢着部を支点として起伏可能に形成している。上記枢着軸３２は頭部を大径に形成し、この頭部とキャップ頂壁との間に可撓性バンドの基端部を挟持するように形成されている。また可撓性バンド３０の先半部３０ａ下面からは筒形の栓３４を垂下して、この栓を上記垂下筒１８の上半部内面に液密に嵌合している。可撓性バンドを軟材質とすることで、注出口のシール性が良好となる。さらに可撓性バンド３０の前端部からは略Ｌ形のつまみ３６を後上方へ突出している。可撓性バンドの栓３４と枢着箇所との間には、可撓性バンドを後上方へ反らせ易いように左右方向の多数の弱め線（溝）３８を横設している。
【００３３】
上記構成において、図１の状態では、栓３４が注出口を閉鎖している。空気置換パイプ２２は注出口１６内に収納されており、空気置換パイプを別途にシールする必要がない。
【００３４】
図１の状態から、つまみ３６に指をかけて後上方へ引っ張ると、栓３４が注出口１６が抜けるとともに、可撓性バンド３０が枢着軸３２を支点として後上方へ反り返る。この可撓性バンド３０を回転させると、可撓性バンドは短周壁である支持壁４０ａに沿ってスライドして、図４の如く栓３４が支持壁４１ａに乗り上げた状態を経て、さらに図５及び図６に示す如く支持壁４１ａの後端部に可撓性バンド３０の基半部３０ｂがもたれた状態まで回動するとよい。基半部が圧接されることで支持壁との摩擦が増大し、反った姿勢を安定して維持することが可能である。この図６の状態では可撓性バンド３０の栓３４がキャップ頂壁から離間しており、栓が他物に触れることがないので、良好である。もっとも図４に実線で示す位置の状態まで回動するだけでも液体の注出には差し支えがない。この実線位置では栓が支持壁の上に乗っているが、同図に想像線で示す位置（作図上の都合により同図実線位置とは上下逆の場所に描いている）まで回動すると、栓３４より基端側の可撓性バンド部分が支持壁後部４２の上に乗るので、栓３４がキャップ状部材１０に触れないようにすることができる。
【００３５】
図４又は図５及び図６の状態で容器体を傾斜させると図７の如く垂下筒１８内の下側部分を介して液体が注出されるとともに、容器体２内が負圧化し、外気が空気置換パイプ２２を経由して容器体２内へ流入する。
【００３６】
［実施例］
図示例では、内容器体８の胴部上端と大径の口頸部４上端の間に中径筒部９を設けるとともに、装着筒１２の下半部を小外径部として、この小外径部の外面を上記中径筒部９の内面に液密に面接することで内溶物をシールしている。このシールにより、図７に示すように液体を注出する際に、内容液が口頸部と装着筒との間隙Ｓ又はネジ部に浸入することを防止することができ、ネジ部等が汚れることがない。また内容液を注出するときに口頸部と装着筒との隙間Ｓに内溶液が入ると、容器体を正立状態に復帰したときに、上記隙間内の内容液が容器体内に戻ることがある。しかしながら、上記の如くシールすることでそうした不都合を解消し、内容液を全て注出することができる。更に図示例では、口頸部４内面上端と装着筒１２の小外径部上端との間にシール材を挿入している。このようにすると、容器に内溶液を再充填する際、または装着筒を洗浄する際に、装着筒と口頸部との隙間又は容器体内に液体が浸入しない。
【００３７】
以下本発明の他の実施形態を解説する。その解説において、第１の実施形態と同じ構成については同一の符号を付することで説明を省略する。
【００３８】
図８及び図９は、本発明の第２の実施形態に係るカップ状容器を示している。本実施形態では、反り姿勢支え手段として、支持壁に代えて、可撓性バンド３０の支持爪で実現したものである。
【００３９】
この実施形態では、可撓性バンド３０の先半部３０ａと基半部３０ｂとの間に屈曲部３９を形成するとともに、基半部の前端左右両部を切り欠いて、この切欠内へ先半部の後端左右両部から係止爪４０ｂを突入させる。上記屈曲部３９は、周囲よりやや肉薄に屈曲可能に形成すればよい。倒伏方向への復元力を有するヒンジ線としてもよい。可撓性バンドが“くの字”に反った状態で、可撓性バンドの先端部が空中に維持されるので、可撓性バンドの先端部を掴んで元の位置に戻すことができる。
【００４０】
この構成において、先半部３０ａを摘んで後上方に回転させると、主として上記屈曲部３９が弾性的に屈曲し、上記係止爪４０ｂがキャップ頂壁にこすり付けられた後に、前方に反転し、係止する。この状態では、屈曲部３０が元に戻ろうとする力と係止爪４０ｂの係止力とが拮抗して、先半部の後上方への反り姿勢が支えられている。
【００４１】
図１０は、本発明の第３の実施形態である。この実施形態は、第１実施形態に示す回転式の可撓性バンド３０において、可撓性バンドの先半部から、支持手段を兼ねる栓３４を垂下し、キャップ頂壁の上に上記栓３４が乗り上げるようにしたものである。可撓性バンド３０の基端部は枢着ピンの頭部とキャップ頂壁との間に挟持されており、そのため、栓３４がキャップ頂壁に乗り上げることで、可撓性バンド３０が反るとともに、その反作用で栓３４がキャップ頂壁に圧接される。その結果、可撓性バンドの回動が制限され、注出口から栓が離脱した状態が維持される。
【００４２】
支持手段４０を兼ねる栓３４は、筒状であり、支持筒４０ｃとして形成している。
【図面の簡単な説明】
【００４３】
【図１】本発明の第1の実施形態に係る容器の平面図である。
【図２】図１容器の縦断面図である。
【図３】図１容器のＩＩＩ−ＩＩＩ方向横断面図である。
【図４】図１容器の可撓性バンドの回動途中を示す平面図である。
【図５】図１容器の可撓性バンドの回動終了状態を示す平面図である。
【図６】図５に対応する縦断面図である。
【図７】図１容器の注出状態を示す縦断面図である。
【図８】本発明の第２の実施形態に係る容器の平面図である。
【図９】図８容器の縦断面図である。
【図１０】本発明の第３の実施形態に係る容器の平面図である。
【図１１】図１０容器の断面図である。
【符号の説明】
【００４４】
２…容器体  ４…口頸部  ６…外容器体  ８…内容器体  ９…中径筒部
１０…キャップ状部材  １２…装着筒  １４…キャップ頂壁
１４ａ…前半部  １４ｂ…後半部  １６…注出口  １８…垂下筒
２０…補助壁  ２２…空気置換パイプ  ２４…枢着孔  
３０…可撓性バンド  ３０ａ…先半部  ３０ｂ…基半部  ３２…枢着軸  ３４…栓
３６…つまみ  ３８…弱め線  ３９…屈曲部
４０…反り姿勢保持手段  ４０ａ…支持壁  ４０ｂ…支持爪  ４０ｃ…支持筒
４１…支持壁の後端部  ４２…同後部
【図１】
2009161205.tif 000003
【図２】
2009161205.tif 000004
【図３】
2009161205.tif 000005
【図４】
2009161205.tif 000006
【図５】
2009161205.tif 000007
【図６】
2009161205.tif 000008
【図７】
2009161205.tif 000009
【図８】
2009161205.tif 000010
【図９】
2009161205.tif 000011
【図１０】
2009161205.tif 000012
【図１１】
2009161205.tif 000013